Podtech/llm-jp-corpus-v4-ja_patent huggingface dataset:
(57)【要約】【課題】従来の鍋の蓋置きには、ガスレンジの空いた所に置いて使用できるものがなかった。【解決手段】鍋の蓋置きに磁石を付け、付けた磁石を土台にして容易にガスレンジ等の空いた所に置いて使用できるようにした鍋の蓋置きである。【選択図】  図７
2004321745.tif 000002
【特許請求の範囲】
【請求項１】
鍋の蓋置きの土台が磁石となっていることを特徴とする鍋の蓋置き。
【発明の詳細な説明】
【０００１】
【発明の属する技術分野】
本発明は、ガスレンジの空いている所にも置いて使用できる鍋の蓋置きに関する。
【０００２】
【従来の技術】
従来の鍋の蓋置きは、台所回りに、吊るしたり置いたりして使用していた。
【０００３】
【発明が解決しようとする課題】
しかしながら、上記従来の鍋の蓋置きには、ガスレンジの空いている所に置いて使用できるものはなく、そのため、ガスレンジで煮炊きをしている鍋等の傍らに置いて、その鍋等の蓋を手早く置くということができなかった。
【０００４】
【課題を解決するための手段】
本発明は、上記欠点をなくすためになされたもので、磁石を鍋の蓋置きの土台にして容易にガスレンジ、流し台等に付け外しができるようにしたものである。
【０００５】
【発明の実施の形態】
以下、本発明の実施の形態を図１〜図７に基づいて説明する。
【０００６】
図１に示すように、鍋の蓋の取っ手の部分を引っ掛けることのできるＵ字状のくぼみ１を設けたけた金属の棒２の両端３，４にキャップ５磁石６を付ける。そして、上記金属の棒２をコの字状に曲げ、付けたキャップ５磁石６を土台にして上記金属の棒２を立て、設けたくぼみ１に鍋の蓋の取っ手の部分を引っ掛け鍋の蓋を置けるようにしたものである。くぼみ１は、Ｕ字状に限定するものではなく鍋の蓋の取っ手の部分を引っ掛けることができればどんな形状でも良いものとする。
【０００７】
上記金属の棒２の曲げ方は、コの字状に限定するものではなく、半円状、半楕円等であっても良い。要するに、上記金属の棒２の両端３，４にキャップ５磁石６を付け、付けたキャップ５磁石６を土台にして上記金属の棒２を立てる。そして、設けたくぼみ１に鍋の蓋の取っ手の部分を引っ掛け、鍋の蓋を置いて倒れなければどんな曲げ方をしても良いものとする。
【０００８】
図２で示すように、補強用に金属の棒７を溶接して付けると強度が増して良い。上記金属の棒２を半円状、半楕円状等に曲げた場合も同様である。
【０００９】
また図３のように、ストッパー用の金属の棒８を付けると鍋の蓋を置く際に、鍋の蓋を落としにくく、くぼみ１に取っ手の部分を引っ掛けやすくする効果が得られる。上記金属の棒２を半円状、半楕円状等に曲げた場合も同様である。
【００１０】
上記金属の棒８は、上記金属の棒２が、コの字状ならコの字状、半円状なら半円状、半楕円状なら半楕円状に曲げるのが好ましい。また、補強用に金属の棒７ａを溶接して付けると良い。
【００１１】
上記金属の棒８の高さｈは、機能的な面から考えて、上記金属の棒２の高さＨより若干高めが良い。
【００１２】
次に、上記金属の棒２の両端３，４および上記金属の棒８の両端９，１０とキャップ５磁石６の付け方を説明する。
【００１３】
図４で示すように、上記金属の棒２の端１１にキャップ５を溶接する。あるいは、図５のように上記金属の棒２の端１１にキャップ５の上面５ａと同じ位の大きさの金属の板１２か、図６のようにコの字状に曲げた金属の板１３を溶接する。溶接した金属の板１２または１３に、金属に有効な接着剤を用いキャップ５を強固に接着する。
【００１４】
そして、キャップ５に磁石６を付ける。付け方は金属および磁石に有効な接着剤を用い強固に接着しても良いし、磁石６の磁力のみでキャップ５に付けても良い。
【００１５】
上記金属の棒８の両端９，１０とキャップ５磁石６も同様にして付けるものとする。
【００１６】
【発明の効果】
本発明は、以上のような構造となっている鍋の蓋置きなので、ガスレンジの空いている所に置いて使用できる。したがって、ガスレンジで煮炊きをしている鍋等の傍らに置いて使用すれば、手早く、その鍋等の蓋を置くことができ、台所仕事の効率が上がる。
【００１７】
また、磁石の有効な場所であれば、容易に付け外しができるので場所に捉われることなく活用でき大変便利である。
【図面の簡単な説明】
【図１】〜
【図６】本発明の実施の形態を示す斜視図である。
【図７】本発明の鍋の蓋置きを使用した状態の斜視図である。
【符号の説明】
１  くぼみ
２  くぼみを設けた金属の棒
３，４  くぼみを設けた金属の棒の両端
５  キャップ
５ａ  キャップの上面
６  磁石
７，７ａ  補強用の金属の棒
８  ストッパー用の金属の棒
９，１０  ストッパー用の金属の棒の両端
１１  くぼみを設けた金属の棒の端
１２  キャップの上面と同じ位の大きさの金属の板
１３  コの字状に曲げた金属の板
Ｈ  くぼみを設けた金属の棒の高さ
ｈ  ストッパー用の金属の棒の高さ
【図１】
2004321745.tif 000003
【図２】
2004321745.tif 000004
【図３】
2004321745.tif 000005
【図４】
2004321745.tif 000006
【図５】
2004321745.tif 000007
【図６】
2004321745.tif 000008
【図７】
2004321745.tif 000009
(57)【要約】【課題】本発明は視覚障害者や車椅子生活者、高齢者および健常者が安全で手軽に使用できる複合機能を有するバリヤフリーの健康福祉器具に関するものである。【解決手段】中空のフレキシブルで透明な蛇腹チューブ１にガイドプレート２を挿入して球体５を入れた後、その両端をホルダー３に差し込み立体形状に組立てる。そしてホルダー３に、表面に突起加工を施し適度な重量のおもり６を内臓したグリップ４を取付ける。【選択図】  図１
2004321758.tif 000002
【特許請求の範囲】
【請求項１】
フレキシブルで透明な蛇腹チューブ１に挿入したガイドプレート２の構成を有する立体形状の蛇腹チューブ健康福祉器具。
【発明の詳細な説明】
【０００１】
【発明の属する技術分野】
本発明は、フレキシブルで透明な蛇腹チューブ１とガイドプレート２の構成で立体形状に組み立てて使用する蛇腹チューブ健康福祉器具に関するものである。
【０００２】
【発明が解決しょうとする課題】
視覚障害者や車椅子生活者、高齢者および健常者が安全で手軽に使用できる複合機能を有するバリヤフリーの健康福祉器具。
【０００３】
【課題を解決するための手段】
いま、その構成を説明すると，
（イ）中空のフレキシブルで透明な蛇腹チューブ１にガイドプレート２を挿入する。
（ロ）ガイドプレート２の中に球体５を入れたあと両端をホルダー３に差し込んで立体形状に固定する。
（ハ）表面に突起加工を施し、適度な重量のおもり６を内臓したグリップ４をホルダー３に取付ける。
以上のような特徴を有するものである。
【０００４】
【実施例】
次に本発明の実施の形態を述べると、立体形状に組み立てた器具のグリップ４を握り手首を返しながら器具を傾け球体５を転がす。つぎに転がる球体５の位置を音や手に伝わる振動または目視で確認しながら、ガイドプレート２の斜面を転がる球体５の遠心力と慣性を利用して適度に加速させスムーズに周回を繰り返す。
【０００５】
【発明の効果】
本発明は、フレキシブルで透明な蛇腹チューブ１により球体５が外に飛び出すのを防止し、ガイドプレート２を伝わる音や振動によって球体５をコントロールできる為、高齢者や視覚障害者、車椅子生活者にも安全に使用できる。又球体５の周回を繰り返す事で平衡感覚や集中力を高め、握力や手首、肩などの広範囲の訓練自助具として機能する。又グリップ４に表面加工した突起物はツボを刺激する効果がある。尚、複数の球体５を入れる事によってゲーム性が増し情操教育や創造性の向上効果もある。
【図面の簡単な説明】
【図１】本発明の斜視図である。
【図２】本発明の本体部分の平面展開図である。
【図３】本発明のＡ−Ａ断面図（拡大図）である。
【図４】本発明のホルダーにグリップを取付けた平面図である。
【図５】本発明のＢ−Ｂ断面図である。
【符号の説明】
１  蛇腹チューブ
２  ガイドプレート
３  ホルダー
４  グリップ
５  球体
６  おもり
【図１】
2004321758.tif 000003
【図２】
2004321758.tif 000004
【図３】
2004321758.tif 000005
【図４】
2004321758.tif 000006
【図５】
2004321758.tif 000007
(57)【要約】      （修正有）【課題】従来はハンドルの固定軸棒が刃の直近中心部分に位置するために爪切片が跳び当たり外に飛び出ることも有り使用都度の後始末が必要であることから、爪切り時の爪切り片の飛び散りを防ぎ、及び、使用都度の爪切り片の後始末が不要な完全収納保持型の爪切りを提供する。【解決手段】作動ハンドル１と連動させた開閉弁７を取り付け、刃板５は一枚板をＵの字型に折り曲げて刃の反対方向に収納ポケットを作り、カバーケースに透明の覗き窓３と排出口４を作る。【選択図】  図４
2004321753.tif 000002
【特許請求の範囲】
【請求項１】
ハンドルと開閉弁を連動させた形式。
【請求項２】
刃板作成は一枚板をＵの字型に折り曲げて刃の反対方向に収納ポケットを作る。
【請求項３】
カバーケースに透明の覗き窓と排出口を作る。
【発明の詳細な説明】
【００１】
【発明の属する技術分野】
この発明はハンドルを連動させた開閉弁を付けて爪切片を一定量及び一定期間の収納保持する形式。
【００２】
従来はハンドルの固定軸棒が刃の直近中心部分に位置する為に爪切片が跳び当たり外に飛び出ることも有り使用都度の後始末が必要である。
【００３】
【発明が解決しようとする課題】
（イ）飛び散りを完全に防止する形式。
（ロ）使用都度の後始末を不要にする形式。
【００４】
【課題を解決するための手段】
爪切時に破片の飛ぶ習性を利用して切断時に弁が開いて終了時に閉じる形式でポケットに保持する。
【００５】
【本発明の実施の形態】
以下本発明の実施の形態について説明する。
（イ）ハンドルと開閉弁を連動させた形式。
（ロ）収納した爪切片を透明覗窓で確認して一定量に達したら排出口から捨てる。
【００６】
【発明の効果】
爪切時の飛び散りや使用都度の爪切片の後始末をなくし一定期間の収納保持で清潔な爪切ができる。
【図面の簡単な説明】
【図１】全体の側面図
【図２】Ｕ字型に折り曲げた刃板に開閉弁を取り付けた状態
【図３】カバーにハンドルの収納状態
【図４】切断時の弁の開いた状態
【図５】蝶番式の開閉弁
【図６】ハンドルと接続金具
【符号の説明】
１．切断ハンドル
２．ハンドルと本体及び開閉弁の接続金具
３．内容量の確認窓
４．排出口
５．切刃
６．排出口の蓋
７．開閉弁
【図１】
2004321753.tif 000003
【図２】
2004321753.tif 000004
【図３】
2004321753.tif 000005
【図４】
2004321753.tif 000006
【図５】
2004321753.tif 000007
【図６】
2004321753.tif 000008
(57)【要約】      （修正有）【課題】落下や置き忘れのない安全性の高いカッターを提供する。【解決手段】カッターの落下や置き忘れを防ぐため、カッター本体Ａの背面にリールワイヤーを取り付ける。さらに使い勝手を考慮してワイヤーの長さを９０ｃｍ程度にする。【選択図】図１
2004321760.tif 000002
【特許請求の範囲】
【請求項１】
背面にリールを付けたカッターナイフ
【請求項２】
背面にリールを付け落下防止を図ったカッター
【発明の詳細な説明】
【０００１】
〔発明の属する技術分野〕
本発明は、一般カッターの安全性を図ったカッターに関する
【０００２】
〔従来の技術〕
従来のカッターは物を切断するだけの物であった
【０００３】
〔発明が解決しようとする課題〕
落下や置き忘れを防ぐ
【０００４】
〔課題を解決する為の手段〕
背面にリールを付けた
〔発明実施の形態〕
【０００５】
〔実施例〕
カッターの背面にリールを付ける事によりカッターの落下又、置き忘れがなくなった
【図面の簡単な説明】
【図１】リールを付けたカッターを示した平面図である
【図２】リール付カッターを示した平面図である
【符号の説明】
１  Ａカッター本体  Ｂ、スライド部分  Ｃ、エンドキャップ
２  Ｄ刃先ガイド
【図１】
2004321760.tif 000003
【図２】
2004321760.tif 000004
(57)【要約】      （修正有）【課題】茶を入れる際に、適度に出た茶を茶葉から分離し、茶が出すぎるのを防ぎ、ティーポット内に茶を残すことが可能なティーポットを提供する。【解決手段】茶葉入れ容器１はティーポット２内に入り、また、ティーポット２の上部にもはめこむことができるように設置する。茶葉入れ容器１をティーポット２内に入れた状態で湯を注ぎ、茶がよい具合に出たら、茶葉入れ容器１をティーポット２上部にはめこむ。茶葉入れ容器１内の茶は、茶葉入れ容器底４から茶がティーポット２内に流れ、茶と茶葉を分離することができる。【選択図】図１
2004321751.tif 000002
【特許請求の範囲】
【請求項１】
ティーポットにおいて、茶葉入れ容器を有し、茶葉入れ容器をティーポットの上部にはめ込み可能なこと、及び茶葉入れをティーポット内に入れられることを特徴とするティーポット。
【請求項２】
前記ティーポット茶葉入れ容器内に仕切りを設けることを特長とする請求項１記載のティーポット。
【発明の詳細な説明】
【０００１】
【発明の属する技術分野】
本発明は、ティーポットに関するものである。
【０００２】
【従来の技術】
従来のティーポットは、上面に開口部を有する一段のティーポット内に茶漉しが配置され、その中に茶葉を入れて、上から湯を注入し、蓋により開口部がカバーされるものである。茶漉しの取り付けを簡易に出来るように工夫したもの等がある。
【０００３】
【発明が解決しようとする課題】
しかしながら、従来のティーポットには以下に述べる欠点がある。茶を入れてティーポットに残ったものをそのまま放置しておくと茶が出すぎて苦くなってしまう。茶をティーポットに残したまま茶葉を取り出すと、周りが水浸しになってしまう。
【０００４】
【課題を解決するための手段】
上記問題を解決するために、本発明は、ティーポット内に茶葉入れ容器を設置し、茶を入れる際に良い具合に出た茶を苦くすることなくティーポット内に残しておけるティーポットを提供する。
【０００５】
【発明の実施の形態】
本発明は、ティーポット内に茶葉入れ容器を有し、茶葉入れ容器がティーポットに出入り可能な構造とする。茶葉入れ容器の上部開口部は蓋によりカバーされる。ティーポットの上部開口部は茶葉入れ容器をはめ込むことによりカバーされる。
【０００６】
上記茶葉入れ容器ははめ込み部を有し、はめ込み部をティーポットにはめこむ。または、茶葉入れ容器を回転させてティーポット内に茶葉入れ容器を入れる。
【０００７】
茶葉入れ容器の底部は複数の穴を有し、茶葉入れ容器がティーポット内にある場合は、湯が茶葉入れ容器とティーポットとを出入りできるようになっている。
【０００８】
【実施例】
本発明の実施例について、図面を参照して説明する。
【０００９】
（実施例１）図１に示すように、茶葉入れ容器１はティーポット２の上部にはめこむことができる。本考案を使用する際は茶葉入れ容器１をティーポット２内に入れる。茶漉し３に適量の茶葉を入れ、湯を注ぐ。ティーポット２は透明で中が見える材質のものにする。
【００１０】
注いだ湯は茶葉入れ容器底４からティーポット２へ流れる。茶の出具合を見て、丁度良い位だと判断したら、茶葉入れ容器１を上方向に持ち上げ、はめ込み部６をティーポット２の溝にはめ込む。茶葉入れ容器１内に残っている茶は、茶葉入れ容器底４からティーポット２に流れるので、まわりにこぼれ落ちる心配はない。このように茶と茶葉を分離することが出来る。茶葉入れ容器１を上に持ち上げたが、まだ茶の出具合が足りなかったという場合には、もう一度茶葉入れ容器１をティーポット２内に入れる。
【００１１】
（実施例２）なお、以下の実施例については、ティーポットの基本構造を実施例１と同じくしており、基本構造部分については実施例１の説明をもってこれを省略し、異なる構成についてのみ新しい符号を付して説明する。図３に示すように、ティーポット２を構成する材質は不透明のもので、透明の小窓８をティーポット２の一部分に設ける。小窓８から茶の出具合を確認する。
【００１２】
（実施例３）図４に示すように、ティーポット２が透明ではなくても茶葉入れ容器１が透明な場合、茶葉入れ容器１内に仕切り９を設ける。ティーポット２に湯を入れた際、仕切り９の内側にも茶が入る。茶の出具合を確認し、茶葉入れ容器１を上に持ち上げ、ティーポット２の上部にはめ込む。茶葉入れ容器１内の茶は、茶葉入れ容器底４の穴からティーポット２に流れ出る。仕切り９内に入っている茶は仕切り底１０の穴からティーポット２に流れ出る。仕切り底１０の穴は、茶葉入れ容器底４の穴よりも小さく、茶が流れ出るのに時間がかかる。茶が仕切り９から流れ出る色を見て、茶の出具合を確認することができる。
【００１３】
【発明の効果】
本発明は、以上説明したような形態で実施され、以下に記載されるような効果を奏する。
【００１４】
茶がティーポットに残った際に、茶と茶葉を分離し、茶葉を湯に浸す時間が長すぎることにより茶が苦くなることを防止し、手間をかけずに茶をティーポットに残しておくことができる。
【００１５】
【図面の簡単な説明】
【図１】本発明のティーポット実施例１を示す正面図である。
【図２】本発明のティーポット実施例１を示す断面図である。
【図３】本発明のティーポット実施例２を示す正面図である。
【図４】本発明のティーポット実施例３を示す断面図である。
【符号の説明】
１  茶葉入れ容器
２  ティーポット
３  茶漉し
４  茶葉入れ容器底
５  蓋
６  はめ込み部
７  水面
８  小窓
９  仕切り
１０  仕切り底
【図１】
2004321751.tif 000003
【図２】
2004321751.tif 000004
【図３】
2004321751.tif 000005
【図４】
2004321751.tif 000006
(57)【要約】【課題】乳幼児が保護者に抱かれることなく一人で安全に入浴できる乳幼児用入浴保護器具を提供する。【解決手段】乳幼児用の袋状のビニール製のイスを固定金具により浴槽に固定する。又、イスの周りには、テーブルを設け安定性を図り、さらに、保護者とのコミニュケーションがとれるようにイスは回転式にする。使用時以外は、浴槽外に移動することで浴槽を広く使える。【選択図】      図１
2004321759.tif 000002
【特許請求の範囲】
【請求項１】
乳幼児が保護者に抱かれることなく安全に入浴できるイス。
【発明の詳細な説明】
【０００１】乳幼児用の袋状のビニール製のイスを固定金具により浴槽に固定する。
又、イスは湯量により高さ調節機能付きとし、イスの周りには、テーブルを設け乳幼児の安定性を図り、さらに、保護者とのコミニュケーションがとれるようにイスは回転式にする。
使用時以外は、浴槽外に移動することで浴槽を広く使える。
【発明の属する技術分野】
【０００２】乳幼児の入浴用保護器具に関するものである。
【従来の技術】
【０００３】保護者が抱いて入浴していた。
【発明が解決しようとする課題】
【０００４】（イ）乳幼児を抱いて入浴する為、乳幼児を浴槽に一人にして、保護者が自分の体を洗うことができなかった。
（ロ）寒い冬などは、乳幼児から先に体を拭いて服を着せ、その後、保護者が体を拭いて服を着ていたため、湯冷めを起こしていた。
【課題を解決するための手段】
【０００５】乳幼児が入浴中、浴槽内において保護者に抱かれることなく、一人で安全に遊べるイスを浴槽に固定する。
【発明の効果】核家族化等により、保護者が一人で乳幼児と入浴する場合の負担を軽減し、又、楽しくするものである。
【図面の簡単な説明】
【図１】使用時と収納時及び上から見た図面を示す。
【図２】浴槽の内、外より斜めに見た図面を示す。
【図１】
2004321759.tif 000003
【図２】
2004321759.tif 000004
(57)【要約】【課題】ゴルフの利き手腕の筋力増強及びゴルフのスイングパワーアップ向上同時に図る事ができる。【解決手段】ゴルフ用グリップを握り部となる円柱状の鉄アレイ本体に図面には５本の指が入る程度の幅及び深さがあり、また握り部の上部にウエイト有し形成されている。【選択図】                        図１
2004321756.tif 000002
【特許請求の範囲】
【請求項１】
握り部となる円柱状の鉄製アレイ本体に５本の指が握れる程度の幅及び深さを有し下部に膨らみを形成されていることを特徴とする。ゴルフ用腕力スイング鉄アレイ。
【請求項２】
前記の鉄アレイ本体に握り部となる。５本の指が握れる様に両端の重りから片方の重りを無くして、ゴルフグリップ型にした特徴とするゴルフ用腕力スイング鉄アレイ。
【請求項３】
鉄アレイ本体に握り部となる５本の指が握れる様にし握り部の上部はクラブヘッド形にし重さを変える事で鉄アレイ本体重量が５００ｇ〜２ｋｇまで重量であることを特徴とするゴルフ用の腕力スイング鉄アレイ。
【発明の詳細な説明】
【０００１】
【産業上の利用分野】
本発明はゴルフ特に利き手腕の筋力増強及びゴルフのスイングパワーアップ向上同時に図ることができるスイングするのにゴルフ用の筋力スイング鉄アレイに関する。
【０００２】
【従来の技術】
従来の鉄アレイは円柱状に握り部との両端に重り部とからなっており手で持ち体を鍛えるだけのものである。
【０００３】
【発明が解決しようとする課題】
腕の筋力増強を図ることが出来るが、鉄アレイでゴルフのスイング、トレーニングをした時に両端の重りが胸にかかり、握り部はすべるスイングをする為の練習には不十分である。
【０００４】
【課題を解決するための手段】
本発明の技術的課題は次のような手段によって解決される鉄アレイ本体に握り部となる５本の指が握れる様にし片方の重りを無くして、ゴルフグリップ型にした特徴とするゴゴルフ用筋力スイング鉄アレイである。
【０００５】
【作用】
鉄アレイ両端の重りから片方の重りを無くし円柱状に５本の指が入る程度の幅および深さを有し握れることによってスイングトレーニングが出来そして、そのゴルフ用のスイング鉄アレイを練習することにより腕力増強とスイングパワーアップが促進される。
【０００６】
【発明の実施の形態】
次の本発明によるゴルフ用のスイング筋力鉄アレイの練習方法が実際上どのように具体化されるが実施形態を説明する。図１は本発明によるゴルフ用の腕力スイング鉄アレイ斜視図であり５本の指が入り程度の幅及び深さを有しゴルフグリップ型で握りやすく握り部の上部がウェイトで図４実際に手に持ってスイングがやりやすい様に図示されている。
【０００７】
【発明の効果】
請求項１のように鉄アレイ握り部となる円柱状の鉄製本体周面に５本の指が握れる程度の幅及び深さを有しスベらない様にしてスイング練習が出来スイングが腕力パワーアップになる。
請求項２のように鉄アレイ握り部となる５本の指が握れる様にし腕の両端の重りから片方の重りを無くしてゴルフグリップ型にし持ちやすい。これでゴルフのスイングをイメージし練習が出来スイングが腕力パワーアップになる。
請求項３のように鉄アレイ握り部となる５本の指が握れる上部の重量を小〜大に変える事により小女用〜大男用までゴルフ用筋力スイングパワーアップ練習が出来る。
【図面の簡単な説明】
【図１】本発明によるゴルフ用腕力スイング鉄アレイを示す傾斜図である。
【図２】本発明によるゴルフ用腕力スイング鉄アレイを示す断面図である。
【図３】本発明によるゴルフ用腕力スイング鉄アレイを示す正面図であり楕円や色々形を変える事ができる。
【図４】実際に手に持った状況図である。
【符号の説明】
１．鉄アレイ
２．指が入るみぞ部
３．ゴルフのグリップ形部
４．ウエイト部
５．上部
６．下部
【図１】
2004321756.tif 000003
【図２】
2004321756.tif 000004
【図３】
2004321756.tif 000005
【図４】
2004321756.tif 000006
(57)【要約】【課題】種類が増加傾向にある柄タイツ又は柄ストッキングの収納を一目でわかりやすくする為に絵柄を浮きださせ、収納出来るＢＯＸを提供する。【解決手段】収納ＢＯＸ本体１に白いプラスチック等のような素材で板３を使い、柄タイッ又は柄ストッキングの絵柄を浮き出させてきれいに収納出来るようにした。【選択図】図１
2004321738.tif 000002
【特許請求の範囲】
【請求項１】
柄タイツ又は柄ストッキングのデザインを一目でわかりやすく判別できる収納ＢＯＸ。
【発明の詳細な説明】
【０００１】
【発明の属する技術分野】
この考案は最近急激に種類が増加した柄タイツ又は柄ストッキングを一目でわかりやすく収納し、利用する時にファッションに合わせすぐに選択できる収納ＢＯＸである。
【０００２】
【従来の技術】
従来、ストッキングを収納する際は軽く結んだり、「ます目」の収納ＢＯＸに直接入れていた。
【０００３】
【発明が解決しようとする課題】
柄タイツ又は柄ストッキングには、ヒョウ柄・花柄・ダイヤ柄・網タイツなどがある。また柄の大きさも大・中・小と様々であり近年種類が増えつづけている。しかし、従来の収納は一目で柄を判別することが出来なかった。
特に黒色のタイツ又はストッキングは軽く結んで従来の収納ＢＯＸに入れると生地が重なりあい様々な種類のデザインが、全て同じ黒いタイツ又はストッキングに見えてしまう。その為、選択する際は確認の為、一度自分の腕に通したり、又は膝まではいてしまうという問題点があった。
また、女性は一般的に外出する前の身支度は時間がかかるものである。ファッションはＴＰＯに合わせコーディネイトするが、従来の判別しにくい収納では柄タイツ又は柄ストッキング選びに更に時間がかかっていた。本考案は、この課題を解消する為になされたものである。
【０００４】
【課題を解決するための手段】
柄タイツ又は柄ストッキングの片足の太もも部分に白いプラスチック等のような素材の板３に通して柄が浮き出してから収納することにした。
【０００５】
【発明の実施の形態】
以下、本発明の実施の形態について説明する。
（イ）．収納ＢＯＸ本体（１）のに仕切（４）が取り外し出来るよう、溝（２）をもうける。
（ロ）．収納ＢＯＸ本体（１）の仕切の大きさに合わせ、白いプラスチック等の素材でカードケースのような板（３）をもうける。角は丸カットにする。
（ハ）．羽つき仕切（４）をもうけるが、この羽（５）は、白いプラスチック等の素材の板（３）に対してストッパーの役割となる為、本体の内側の縦にもストッパーとして羽（５）をもうける。
【０００６】
【実施例】
柄タイツ又は柄ストッキングの片足の太もも部分に白いプラスチック等のような素材の板３に通して絵柄が浮き出るようにする。タイツやストッキングがシワになりにくい素材である為、通して残った柄タイツ又は柄ストッキングはつま先から本体１の仕切枠へそのまま入れ込むことができる。最後にふたをするように板３を本体１の仕切枠へ置く。さらに収納した柄タイツ又は柄ストッキングを安定させる為、羽つき仕切４で固定することにした。
【０００７】
【発明の効果】
近年種類が増えつづける柄タイツ又は柄ストッキングに対応でき、絵柄が一目で判別できるようになった。また、だれにでも簡単・きれいに収納でき、紛らわしいタイツ選びによる時間がかからなくなった。
【図面の簡単な説明】
【図１】本発明の正面図である。
【図２】本発明の使用状況を示す正面図である。
【符号の説明】
１  収納ＢＯＸ本体
２  溝
３  板
４  羽つき仕切
５  羽
【図１】
2004321738.tif 000003
【図２】
2004321738.tif 000004
(57)【要約】【課題】野球の練習で、素振り練習をするときには普段使っているバットを使って練習をしている。しかし、通常使われているバットは打球を遠くへ飛ばすことを目的に作られており、バット本体が受ける空気抵抗は小さく、従って筋肉への負荷は小さいといえる。軽くて、筋肉に負荷を与えることができる空気抵抗活用のパネル構造の素振り練習用バットを作製することが課題である。【解決手段】パイプの打球部分のぐるりに放射状に角形などのパネルをつけ、パイプに直角に円形のパネルをはめ込んで組み合わせる。素振りをすると、この組み合わさったパネルが空気を受け止め、空気抵抗となり、筋肉に負荷を与える。又、パネルが放射状に出ていることで、打球面のどこを前面にしてバットを振っても同じように空気を受け止めることができる。よって、素振り練習用バットをパネル構造にしたことが課題の解決手段である。【選択図】  図１
2004321733.tif 000002
【特許請求の範囲】
【請求項１】
パネルを組み合わせて空気を受け止め、空気抵抗を作り出した野球の素振り練習用バット。
【発明の詳細な説明】
【０００１】
【発明の属する技術分野】
この発明は、野球の打撃に必要な筋力を強化する素振り練習に使用する、素振り練習用バットに関するものである。
【０００２】
【従来の技術】
従来の素振り練習では、実際にボールを打つ野球用バットが使用されてきた。
【０００３】
【発明が解決しようとする課題】
これは次のような欠点があった。
（イ）野球の打撃に必要な筋力を強化する素振り練習においては、バットスイング中の筋肉に対し十分な負荷を与えることが必要であるにも関わらず、従来から素振り練習に使用されているバットは実際にボールを打つバットであり、遠くへ飛ばすことを目的に作られている。その為、バットスイングの際にバット自身が、スイングの負担にならないような形状に作られているので、スイング中の筋肉に十分な負荷を与えるという素振り練習目的に適した形状ではないという問題があった。
（ロ）この問題を解決しようとして、負荷を大きくするために、（１）打撃用バットを重くするという方法があるが、スイングの終わったあとに慣性が残り、その慣性を停止させる為に関節や筋肉に無理な負担がかかり、良い方法とはいえない。（２）従来からのバットの打球部を太くして空気抵抗を大きくするという方法もあるが、打球部の断面は円形であり、空気抵抗の小さい形状である。打球部を太くするだけで必要な負荷を得ようとすれば体積が大きくなりすぎて効果的とはいえない。（３）打球部を平板な団扇形にして空気抵抗を得るという方法もあるが、平面部に空気を当てようとしてスイング方向と平面部に常に注意を払わなければならないという問題点があった。
本発明は、これらの欠点を除くためになされたものである。
【０００４】
【課題を解決するための手段】
バットの打球部に空気を受け止める為のパネルの組み合わせを設ける。
本発明は、以上のような構成よりなる空気抵抗活用のトレーニングバットである。
【０００５】
【発明の実施の形態】
以下、本発明の実施の形態について説明する。
素振り練習中のバットに空気抵抗を発生させることを目的とし、バットの形態を次のようにする。まず、野球で使われている通常のバットと同じくらいの長さで、通常のバットのグリップ部分と同じ太さのパイプを用意する。次にグリップ部分を残して、打球部分に角形などのパネルをパイプのぐるりに放射状に取り付ける。そして、パイプに対して垂直に円形のパネルを要所にはめ込んで組み合わせる。
空気を受け止める角形などのパネルと、バットの先端方向へ逃げようとする空気を押しとどめる円形のパネルが縦横に組み合わさった升目状をなして、パイプの打球部分のぐるりに構成される。即ち、パネルの組み合わせによって打球部分に升目が構成された形態である。
本発明は以上のような形態で、パネルの升目が打球部分のパイプのぐるりに構成されて空気を受け止めるので、スイング方向を気にせずにバットスイングすることができる。
【０００６】
【発明の効果】
バットの打球部分にあたるパイプのぐるりをパネルの組み合わせによってできる升目構造にすることで、升目が空気を逃がさずに受け止めることが出来る。その結果、このバットを素振りして升目が受け止めた空気が抵抗となり、バットスイング中の筋肉に負荷を与える。この負荷がバットスイングの為の筋肉を鍛えることになる。又、パイプの打球部分のぐるりにパネルが升目を構成しているのでスイングする時にバットの向きを気にしたり、注意を払ったりする必要がない。筋力があり素振り速度が大きい時には、空気抵抗は大きくなり筋肉への負荷は大きくなる。筋力が弱く素振り速度の小さいときには、空気抵抗は小さくなり筋肉への負荷は小さくなる。従って、筋力に応じた負荷がかかるので、スイング筋力の強化の為の練習には好都合です。
バットを振り切ったあと、このバット自身が空気抵抗によって自然に止まろうとするので、バットを停止させる際に関節や筋肉に、無理な力はかからず、停止させることが出来る。
【図面の簡単な説明】
【図１】本発明の斜視図である。
【図２】図１の３の先端カバーをはずした図である。
【図３】図１の２の斜視図である。
【図４】図２の４の正面図である
【図５】図２の５の正面図である。
【符号の説明】
１  空気受け止め部
２  パイプ
３  先端カバー
４  角形パネル
５  円形パネル
【図１】
2004321733.tif 000003
【図２】
2004321733.tif 000004
【図３】
2004321733.tif 000005
【図４】
2004321733.tif 000006
【図５】
2004321733.tif 000007
【手続補正書】
【提出日】平成15年7月4日(2003.7.4)
【手続補正１】
【補正対象書類名】明細書
【補正対象項目名】特許請求の範囲
【補正方法】変更
【補正の内容】
【特許請求の範囲】
【請求項１】
パイプのグリップ部分をのこし、打球部分に角形などのパネルをパイプのぐるりに放射状に取り付けた素振り練習用バット。
【請求項２】
パイプに対し、垂直に円形パネルをはめ込んだ、請求項１記載の素振り練習用バット。
(57)【要約】【課題】本発明は、ヒッププロテクターの骨折予防機能に磁気による健康増進機能を加えることでヒッププロテクターの装着率を向上させることを課題とする。【解決手段】本発明は緩衝体１の大腿骨頸部に接する面に磁石２を内臓もしくは嵌着し、緩衝体１を装着具３のポケット４に入れるなどして大腿骨頚部に相当する部分に装着することにより、非転倒時は股関節周囲のツボに磁気を与えることにより血流を促進し、転倒時は衝撃を吸収し骨折を予防する。【選択図】図１
2004321731.tif 000002
【特許請求の範囲】
【請求項１】
緩衝体に磁石を内蔵もしくは嵌着することを特徴とするヒッププロテクター。
【発明の詳細な説明】
【０００１】
【発明の属する技術分野】
この発明は、緩衝体に磁石を内蔵もしくは嵌着したヒッププロテクターに関するものである。
【０００２】
【従来の技術】
従来のヒッププロテクターは緩衝体を大腿骨頚部に相当する部分に装着することで、転倒時の衝撃を吸収し骨折を予防するものであった。
【０００３】
【発明が解決しようとする課題】
しかしながら、以上の従来技術によれば、転倒時以外は効用がないためヒッププロテクターの装着を忘れたり、脱着の煩わしさや不快感から自己判断で装着しないことが多かった。ヒッププロテクターを装着することで大腿骨頚部骨折を予防することが出来るが、実際には装着率が低いため大腿骨頚部骨折の予防効果が認められないとする臨床研究報告が多かった。
そこで、この発明は、ヒッププロテクターの骨折予防機能に磁気による健康増進機能を加えることでヒッププロテクターの装着率を向上させることを課題とする。
【０００４】
【課題を解決するための手段】
以上の課題を解決するために、請求項１の発明は、緩衝体に磁石を内蔵もしくは嵌着することを特徴とするヒッププロテクターである。
【０００５】
【発明の実施の形態】
この発明の一実施形態を、図１に示す。
図１のように緩衝体１の大腿骨頚部に接する面に磁石２を内臓もしくは嵌着する。緩衝体１を装着具３のポケット４に入れるなどして大腿骨頚部に相当する部分に装着することで、非転倒時は股関節周囲のツボに磁気を与えることにより血流を促進し、転倒時は衝撃を吸収し骨折を予防する。
【０００６】
【実施形態の効果】
この実施形態によれば、非転倒時は股関節周囲のツボに磁気を与えることにより血流を促進し、股関節周囲の筋肉のコリを回復させることが出来る。また、転倒時は衝撃を吸収して骨折を予防することが出来る。
【０００７】
【発明の効果】
以上説明したように、この発明によれば、非転倒時の健康増進効果が付加されることでヒッププロテクターの装着率が向上し、骨折予防の効果も向上させることが出来る。
【図面の簡単な説明】
【図１】この発明の一実施形態を示す正面図である。
【符号の説明】１：緩衝体  ２：磁石  ３：装着具  ４ポケット
【図１】
2004321731.tif 000003
(57)【要約】【目的】ハンガーにかけた衣類の重みを、留め金具を打つことなしに耐えられるようにしたハンガーかけで、箱型家具および類似形態用具の側面に取付ける。【構成】Ｌ型状支持枠（３）とハンガーかけ（５）を一体にし、取付けた時にＬ型状支持枠が箱型家具および類似形態用具（７）の天板（１）に接する面に滑り止め（６）をつける。【選択図】    図４
2004321739.tif 000002
【特許請求の範囲】
【請求項１】
Ｌ型状の支持枠（３）とハンガーかけ（５）を合体し、支持枠の天板に接する面に滑り止め（６）をつけることにより、留め金具で固定しなくても機能する、Ｌ型状支持枠のついたハンガーかけ（図３）。
【発明の詳細な説明】
【０００１】
【産業上の利用分野】
本発明はハンガーにかけた衣類の重みを、留め金具を打つことなしに耐えられるようにしたハンガーかけに関するものである。
【０００２】
【従来の技術】
従来より頻繁に着脱する衣類を、手近な柱や長押、箱型家具の側面などに釘やフックを取付けてハンガーをかけることをよくする。
【０００３】
【発明が解決しようとする課題】
イ．釘やフックを取り付けた箇所に傷が残る。また一個の釘やフックに洋服のかかったハンガーを数本さげると、重みで取付け箇所が破損しやすい。
ロ．一個の釘やフックに衣類のかかったハンガーを数本さげた場合、一番上のハンガー以外は取り出しにくい。
ハ．使用中の見栄えがよくない。
本発明は、以上の欠点を解決する為になされたものである。
【０００４】
【課題を解決する為の手段】
適宜な幅と適宜な長さのＬ型状の支持枠（３）とハンガーかけ（５）を合体させる。そして支持枠の天板に接する面に滑り止め（６）をつける。また必要に応じ留め金具も使用できるように、Ｌ型状支持枠の天板（１）と接する面の適宜な位置に留め金具取付け用孔（４）を設けておく。
本発明は以上の構成よりなる留め金具を使わなくても使用できる、Ｌ型状支持枠のついたハンガーかけである。
【０００５】
【作用】
本発明を使用する時はハンガーかけ部（５）を箱型家具（図４の７）若しくは天板と側板に相当する形態と強度を備えた類似形態用具の側板側に、そして滑り止めの付いている側を箱型家具や類似形態用具の天板にのせるだけで、留め金具を使わずに取付け使用することが出来る。
【０００６】
【実施例】
以下、本発明の実施例を図面を参照してのべる。
（イ）Ｌ型状支持枠（３）とハンガーかけ（５）を一体にし、Ｌ型状の支持枠の天板に接する面に滑り止め（６）をつける（図３）。
（ロ）本発明を箱型家具や類似形態用具（７）に設置する（図４）
（ハ）必要が生じた時の為に、適宜な位置に留め金具用の孔（４）をあけておく。
本発明は以上の構造で、これを使用する時はＬ型状支持枠のついたハンガーかけ（図３）の、ハンガーかけの付いている方を箱型家具あるいは類似形態用具の側板（図４の２）側にし、滑り止めの付いている面を天板（図４の１）にのせる。これで留め金具を使わない場合でもハンガーかけの機能を果たし、本発明を取付けた家具（図４−７）および類似形態用具は釘やフックを打ち付けた場合に比較すると、衣類のかなりの重量に耐え得る。
【０００７】
【発明の効果】
本発明の取付け取外しが極めて簡単に出来る。本発明を使用することによって衣類の重量を天板に分散するので、取付けた箱型家具や類似形態用具はかなりの重量に耐え得る。留め金具用孔（４）を設けているので、必要な場合は留め金具を併用出来る。
【図面の簡単な説明】
【図１】本発明の幅が狭い型のＬ型状支持枠例の斜視図
【図２】本発明の幅が広い型のＬ型状支持枠例の斜視図
【図３】本発明のＬ型状支持枠のついたハンガーかけの横面図
【図４】本発明を箱型家具や類似形態用具に取付けた状態の横面図
【符号の説明】
１  箱型家具および類似形態用具の天板
２  箱型家具および類似形態用具の側板
３  Ｌ型状支持枠
４  留め金具取付用孔
５  ハンガーかけ
【図１】
2004321739.tif 000003
【図２】
2004321739.tif 000004
【図３】
2004321739.tif 000005
【図４】
2004321739.tif 000006
(57)【要約】【目的】子供に擬似おにぎりで遊ぶ課程において、おにぎりの製作工程を遊びながら、自然に学べるようにすることを目的とする【解決手段】具象体を蝶盤型にすることにより、具象体の中に擬似具材を挟める様にし、マジックテープで挟んだ具材や擬似海苔が具象体から離れないようにすることにより、料理におけるおにぎりと同じ作り方で擬似おにぎりを作ることができ、自然とおにぎりの製作工程を学べる玩具となった。【選択図】  図３
2004321732.tif 000002
【特許請求の範囲】
【請求項１】
具象体を蝶盤型に分割、形成し、分割面や外周面に接着手段をもうけ、分割面に擬似具材を差し入れ、外周面に擬似海苔を接着することにより、おにぎりの製作工程や擬似具材によるおにぎりの中に具材を入れるというおにぎりのバリエーションを自然と学ぶことができる知育玩具
【発明の詳細な説明】
【０００１】
【発明の属する技術分野】
この発明は、料理の１つである、おにぎりの製作工程をままごと等において学べるようにするため、おにぎり型の具象体を蝶盤型に分割、形成し、分割面や外周面に接着手段をもうけ、分割面に擬似具材を差し入れることにより、おにぎりの製作工程において、その中に入れる具材を個人で選べ、外周面に擬似海苔を接着することにより、おにぎりの製作工程を自然に学ぶことのできる知育玩具に関する物である。
【０００２】
【従来の技術】
従来の知育玩具においては、野菜や果物、魚等の具象体を分割可能な部分に玩具の包丁を差し入れ、恰も包丁で具象体を切る動作をままごとの遊びの中で学べるという物であった。
【０００３】
【発明が解決しようとする課題】
従来の知育玩具においては、具象体を分割する行程のみに絞られた、知育玩具が多く、料理の製作工程を学べる物はなく、ままごとにおける料理としてはリアリティーに掛ける物が多く、創造性に欠ける物であった。
【０００４】
従って本発明は上述したような問題点を解決して、子供に料理の具材を自由に選べるという創造力や料理の製作工程を覚えさせることができるようにすることを目的とする。
【０００５】
【課題を解決するための手段及び作用】
そこで、本発明はままごと等における料理の製作工程を学べる知育玩具を目的として、おにぎり型の具象体を蝶盤型に分割、形成し、分割面や外周面に接着手段をもうけ、分割面に擬似具材を差し入れることにより、おにぎりの製作工程において、その中に入れる具材を自由に選べ、外周面に擬似海苔を接着し、具象体のおにぎりを完成させる事によって、おにぎりの製作工程を自然に学ぶことができるよう目的に即した知育玩具である。
【０００６】
【発明の実施の形態】
本発明は、おにぎりの特徴を活かすため、白色布製ので三角形の具象体を２つ縫製し、その中に綿を詰め、２つの具象体の底辺を１つの白色布で縫製し、２つの具象体を１つの蝶盤型の具象体にすることによって、この具象体が擬似おにぎりとなり、その中に擬似具材が挟めるようにした。
【０００７】
また、おにぎり部となる具象体の分割面や外周面にマジックテープを取り付け、黒色布製の擬似海苔の１面にもマジックテープを取り付けることにより、擬似おにぎりに布製擬似具材を挟んだ後、おにぎり部全体を握ることにより、分割面のマジックテープ同士が接着し、具材がこぼれないようになり、外周面のマジックテープに合うよう擬似海苔のマジックテープを合わせることによって、手を離しても擬似海苔がおにぎりの具象体から離れることなく、おにぎりの製作工程を擬似おにぎりで作ることができるようにした。
【０００８】
さらに、本発明を図面で説明するば、具象体１の分割面、外周面にマジックテープ２を取り付け、擬似海苔３の１面にマジックテープ２を取り付け、擬似具材４を具象体１で挟み、具象体１の分割面にあるマジックテープ２を合わせ、接着し、擬似具材４を挟んだ具象体１の外周面にあるマジックテープ２と擬似海苔３のマジックテープ２を合わせ、接着することにより、擬似おにぎりとなった物である。
【０００９】
【発明の効果】
以上、本発明は、具象体を蝶盤型に分割、形成し、分割面や外周面に接着手段をもうけ、分割面に擬似具材を差し入れ、外周面に擬似海苔を接着することにより、おにぎりの具材の選択や製作工程を自然と学ぶことができることを特徴とする知育玩具とした物である。
【図面の簡単な説明】
【図１】具象体、擬似具材、擬似海苔を広げている図である。
【図２】擬似おにぎりの完成図である。
【図３】擬似おにぎりの断面図である。
【符号の説明】
１      具象体
１０    具象体分割面
１１    具象体外周面
２      マジックテープ
３      擬似海苔
４      擬似具材
【図１】
2004321732.tif 000003
【図２】
2004321732.tif 000004
【図３】
2004321732.tif 000005
(57)【要約】【課題】卵を割る時に指先に卵液が付着する事なく片手で簡単に卵の中身を出す事が出来る様にする。【解決手段】左右に挟んだ卵の殻を前後に開く事によって、片手で簡単にそして卵液が指に付着する事なく中身を出す事が出来る様な前後左右に開閉出来るクリップ形態の卵割り器を提供する。【選択図】    図１
2004321282.tif 000002
【特許請求の範囲】
【請求項１】
前後左右に開閉する事によって左右に挟んだ卵の殻を前後に開ける事が出来る様にした事を特徴として、片手で卵の殻を開けることが出来て手に卵液が付着する事なく卵の中身を出す事が出来るクリップ形態の卵割り器。
【請求項２】
把持部１を握ってアーム部２を開き卵を図２の向きで挟むとアーム部２がバネ部３により卵の殻面をスライドして爪部６が卵の膨隆の頂点で合わさり閉じる。
図３の状態のまま器の角等で卵の殻を割ると爪部６がバネ部４によって図４の様に殻の中に入る。その後、把持部１を握るとアーム部２と一緒に殻も開いて卵の中身を出せる事を特徴とする請求項１のクリップ形態の卵割り器である。
【発明の詳細な説明】
【０００１】
【発明の属する技術分野】
この発明は、手に卵液が付着する事なく卵を割る事が出来る様にしたクリップ形状に関する卵割り器である。
【０００２】
【従来の技術】
従来、卵を割る時は器の角等で殻を割って、割れた部分に両手の親指の先をひっかけて卵の殻を開ける。
【０００３】
【発明が解決しょうとする課題】
しかしながら、以上の技術によれば卵を割る時に両手の親指の先に卵液が付着してしまう事はさけられなかった。
そこで、この発明は片手で簡単にそして手に卵液が付着する事なく殻を開けて中身を出す事が出来る卵割り器を提供する事を課題とする。
【０００４】
【課題を解決する為の手段】
以上の課題を解決する為に請求項１の発明は、前後左右に開閉する事によって左右に挟んだ卵の殻を前後に開ける事が出来る様にした事を特徴として、片手で卵の殻を開けることが出来て手に卵液が付着する事なく卵の中身を出す事が出来るクリップ形態の卵割り器である。また、請求項２の発明は把持部１を握ってアーム部２を開き卵を図２の向きで挟むとアーム部２がバネ部３により卵の殻面をスライドして爪部６が卵の膨隆の頂点で合わさり閉じる。
図３の状態のまま器の角等で卵の殻を割ると爪部６がバネ部４によって図４の様に殻の中に入る。その後、把持部１を握るとアーム部２と一緒に殻も開いて卵の中身を出せる事を特徴とする請求項１のクリップ形態の卵割り器である。
【０００５】
【発明の実施形態】
この発明の一実施形態を図１に示す。卵割りクリップは、把持部１と蝶番５とアーム部２と爪部６によって構成されていて、把持部１と蝶番５にはそれぞれバネ部３とバネ部４が設けられている。
アーム部２内側には卵を押さえる為の面がそれぞれにある。
４つのアーム部２の内側の面と４つの爪部６の先の合計８箇所の接触により卵を挟む。
【０００６】
【実施形態の効果】
この実施形態によれば卵割りクリップで図３の様に卵を挟んだ状態のまま殻を器の角などで割るとバネ部４によって爪部６が卵の殻の中へ入り込みアーム部２が殻側面を押さえて図４の様になる。
その後、把持部１を握るとアーム部２と一緒に爪部６にひっかけられた殻も開くので卵の中身を出す事が出来る。
【０００７】
【他の実施形態】
図１の実施形態では把持部１にバネ部４を使ってあったが、バネを使わずに素材のもつ弾力を使っても同じ結果を得られる。
また図６の様な形態にしてアーム部２の弾力によって左右に開閉させても同じ結果を得る事が出来る。
【０００８】
【発明の効果】
以上説明した様にこの発明によれば、手に卵液を付着させる事なく片手で簡単に卵の中身を出す事が出来る。
【０００９】
また低コストで製造出来て、鋭い刃などないので安全に使用出来る。
【図面の簡単な説明】
【図１】卵割りクリップの斜視図である。
【図２】卵を挟む前の斜視図である。
【図３】卵を挟んだ状態の斜視図である。
【図４】爪部が割れた卵の殻に入った状態の斜視図である。
【図５】卵割りクリップで卵の殻を開けた状態の斜視図である。
【図６】他の実施形態の斜視図である。
【符号の説明】
１把持部
２アーム部
３バネ部
４バネ部
５蝶番部
６爪部
７卵
【図１】
2004321282.tif 000003
【図２】
2004321282.tif 000004
【図３】
2004321282.tif 000005
【図４】
2004321282.tif 000006
【図５】
2004321282.tif 000007
【図６】
2004321282.tif 000008
(57)【要約】【課題】位牌に分骨を収容して彼岸、法事全ての行事を自宅内や庭で出来るもの得ることにある。【解決手段】戒名（法名）を表示した位牌板を備えている位牌本体の内部に、分骨収容空間を形成したこと。【特許請求の範囲】
【請求項１】
戒名（法名）を表示した位牌板を備えている位牌本体の内部に、収骨空間を形成した分骨位牌。
【請求項２】
位牌本体を、仏壇などに載せて安定させる基台部と、戒名を表示した位牌板を着脱可能に取付ける本体構成部とに分割し、前記基台部に、上面が開放する収骨空間を設け、基台部上に重ね合わせる本体構成部の下面に前記収骨空間に連続する副収骨空隙を設けた請求項１記載の分骨位牌。
【請求項３】
位牌板の裏面に、顔写真シートを設けた請求項１記載の分骨位牌。
【発明の詳細な説明】
【０００１】
【発明の属する技術分野】
本発明は主として仏壇に飾る位牌に係るもので、特に位牌としての機能を増したことを特徴とする新規な着想に関するものである。
【０００２】
【従来の技術】
通常位牌と言えば、戒名を表示した本体を仏壇等に安定して飾るものであり、その他の機能を与えたものは、見当らない。
【０００３】
【発明の背景】
本発明は位牌に関する従来の観念を全く改め、墓石、収骨室又は分骨室はもとより墓地も必要としない位牌を得ることを目的に提案したものである。
【０００４】
人が墓参りに行くのは、墓地には死者の遺骨があるからであって、墓石、分骨室、遺影があれば、墓地も何もかも必要ない。先祖に見守られながら充実した生活を送ることができる。
【０００５】
【発明が解決しようとする課題】
以上のことから本発明は位牌に分骨を収容して、彼岸、法事全ての行事を自宅内や庭で出来るようにしたものを得ることにある。
【０００６】
【課題を解決するための手段】
本発明の手段は次のとおりである。
【０００７】
戒名（法名）を表示した位牌板を備えている位牌本体の内部に、収骨空間を形成したことにある。
【０００８】
【発明の実施の形態】
図面を参照して本発明に係る分骨位牌の具体的構成を説明する。
【０００９】
図の１は仏壇等にのせる位牌本体で基台部１ａと基台部１ａの上にのせ戒名を表示した位牌板４を備えた本体構成部１ｂに分け、基台部１ａの上平面に分骨を収納する収骨空間２を形成し、この収骨空間２に連続する副収骨空隙３を本体構成部１ｂの下面に下向きに設ける。位牌本体１の材質はチタン、コクタン等種々考えられるが、セラミックで成形した場合、基台部１ａの上面に永久磁石片９を固定し本体構成部１ｂの下面に吸着金属片５を設けるようにする。６は位牌板の裏面に接着して戒名を表示した写真片で俗名、年令等を記載する。７は位牌板の下端に突設した差込片で、本体構成部１ｂの凹入穴８に差込む。
【００１０】
【発明の効果】
本発明によれば、位牌内に分骨が収容されるため、わざわざ墓参りの必要がなく、分骨位牌により何時も先祖に見守られながら充実した生活を送ることができる。彼岸、法事、全ての寺行事も自宅で存分に行われる。
【図面の簡単な説明】
【図１】正面図。
【図２】位牌本体の分離正面図。
【図３】位牌本体の裏面図。
【図４】位牌板の正面図。
【図５】位牌板の裏面図。
【符号の説明】
１      位牌本体
１ａ    基台部
１ｂ    本体構成部
２      収骨空間
３      副収骨空隙
４      位牌板
【図１】
2004321278.tif 000002
【図２】
2004321278.tif 000003
【図３】
2004321278.tif 000004
【図４】
2004321278.tif 000005
【図５】
2004321278.tif 000006
【手続補正書】
【提出日】平成15年5月8日(2003.5.8)
【手続補正１】
【補正対象書類名】明細書
【補正対象項目名】０００３
【補正方法】変更
【補正の内容】
【０００３】
【発明の背景】
本発明は位牌に関する従来の観念を全く改め、墓石、収骨室はもとより墓地も必要としない位牌を得ることを目的に提案したものである。